(57)【要約】【課題】基板を分割して積層した場合に、電池の装着状態でカード式記憶媒体の離脱を防止し、かつ、電池容量の増大化を達成しつつ筺体の外観性を良好にする。【解決手段】電池２を、電池蓋１６で覆った収納凹部１５の第１のスペースＳ１に配置する。収納凹部１５の残りの第２のスペースＳ２に、メイン基板３、サブ基板３１およびカード装填部４の積層群６を配置する。カード装填部４に装填したＳＩＭカード５の装填方向後端５ａを、装着した電池２の側端２ａに向かって近接配置させるようにして、サブ基板３およびカード装填部４をメイン基板３に対して傾斜配置し、電池２の装着状態でＳＩＭカード５の離脱を防止する。電池蓋１６に、傾斜したカード装填部４に対応した傾斜部１６ａを形成する。【選択図】  図３
2014041484.tif 000002
【特許請求の範囲】
【請求項１】
機器筺体に設けられた収納凹部と、
前記収納凹部を覆う電池蓋と、
前記収納凹部の一方側に設けた第１のスペースに配置される電池と、
前記収納凹部の他方側の残りの第２のスペースに配置され、メイン基板、サブ基板およびカード装填部がこれの順に積層され、前記カード装填部が前記電池蓋側に配置される積層群と、を備え、
前記カード装填部に装填したカード式記録媒体の装填方向後端を、前記カード式記録媒体の離脱を阻止すべく、前記収納凹部に装着した電池の側端に向かって近接配置させるようにして、前記サブ基板および前記カード装填部を前記メイン基板に対して傾斜配置すると共に、
前記電池蓋は、前記傾斜したカード装填部に対応して傾斜部が形成されていることを特徴とする携帯情報機器。
【請求項２】
前記第１のスペースは、前記収納凹部の少なくとも半分以上のスペースを占有することを特徴とする請求項１に記載の携帯情報機器。
【請求項３】
前記メイン基板と前記サブ基板との間に介在するシールド板を有し、前記シールド板に前記サブ基板の傾斜方向に沿った傾斜面を形成し、前記傾斜面に前記サブ基板および前記カード装填部を搭載したことを特徴とする請求項１または２に記載の携帯情報機器。
【請求項４】
前記電池蓋の前記傾斜部は、前記積層群の配置側から前記電池の配置側に向かって滑らかな曲線形状になっていることを特徴とする請求項１〜３のいずれか１項に記載の携帯情報機器。
【発明の詳細な説明】
【技術分野】
【０００１】
本発明は、携帯情報機器に関し、特にカード式の記憶媒体を着脱可能に装填する携帯情報機器に関する。
【背景技術】
【０００２】
近年、携帯電話機やタブレット端末などの携帯情報機器が多用されるが、このような携帯情報機器では、ＳＤ（Secure Digital）カードやＳＩＭ（Subscriber Identity Module）カードなどのカード式記憶媒体が用いられるのが一般的である。
【０００３】
従来の携帯情報機器としては、例えば、特許文献１に示された携帯電話機がある。この携帯電話機は、表示筺体と操作筺体とがヒンジで折り畳める折り畳み式ではあるが、操作筺体の内部には、一方側に電池が収納され、他方側にデータ通信回路の基板やＳＤカードなどが主に収納される。
【０００４】
このとき、ＳＤカードは、カード装填部（ＳＤカード保持装置）に着脱自在に装填されるが、そのＳＤカードの脱着側に電池が位置しており、この電池を外した状態で、はじめてカード式記憶媒体を取り外すことが可能となっている。つまり、カード式記憶媒体を用いた携帯情報機器では、電源のＯＦＦ状態でカード式記憶媒体を着脱して、カード式記憶媒体の破損を防止するようになっている。
【先行技術文献】
【特許文献】
【０００５】
【特許文献１】特開２００７−１０９０３６号公報
【発明の概要】
【発明が解決しようとする課題】
【０００６】
しかしながら、特許文献１の携帯電話機では、操作筺体の一方側に配置する電池の収納スペースに、操作筺体の他方側に配置した基板が入り込んでいる。この場合、電池の収納スペースに入り込んだ基板によって電池の収納部分の厚みが全体的に嵩張ってしまう。このことは、電池の占有スペースが小さくなって、電池の大型化、つまり電池容量の増大化が困難になってしまう。
【０００７】
ところで、近年では、スマートフォンなどで知られるオールインワン形の携帯情報機器が流通するが、この携帯情報機器では、薄型化を達成しつつ電池容量の更なる増大化が要求される。
【０００８】
このため、筺体の電池収納スペース内に基板が入り込むのを避けるため、基板をメイン基板とサブ基板とに分割して、それぞれを互いに積層することが考えられる。このように分割したメイン基板とサブ基板とを積層することにより、電池収納スペースの占有領域を拡充して電池の大型化を可能とし、かつ、電池収納部分の薄型化を達成できる。
【０００９】
ところが、メイン基板とサブ基板とを積層した部分には、更にＳＩＭカードなどのカード式記憶媒体を積層することになるため、それらの積層部分では、全体的な厚みが厚くなることが余儀なくされる。このため、薄肉化が可能となった電池収納部分に比較して、メイン基板、サブ基板およびカード式記憶媒体の収納部分が厚肉化され、それら両者の部分間で筺体外側に段差部が形成されることになり、外観上の見栄えが悪くなってしまう。
【００１０】
そこで、本発明は、かかる従来の実状に鑑みて、基板を分割して積層した場合に、電池の装着状態でカード式記憶媒体の離脱を防止し、かつ、電池容量の増大化を達成しつつ筺体の外観性を良好にできる携帯情報機器を提供するものである。
【課題を解決するための手段】
【００１１】
本発明の携帯情報機器の第１の手段は、機器筺体に設けられた収納凹部と、前記収納凹部を覆う電池蓋と、前記収納凹部の一方側に設けた第１のスペースに配置される電池と、前記収納凹部の他方側の残りの第２のスペースに配置され、メイン基板、サブ基板およびカード装填部がこれの順に積層され、前記カード装填部が前記電池蓋側に配置される積層群と、を備え、前記カード装填部に装填したカード式記録媒体の装填方向後端を、前記カード式記録媒体の離脱を阻止すべく、前記収納凹部に装着した電池の側端に向かって近接配置させるようにして、前記サブ基板および前記カード装填部を前記メイン基板に対して傾斜配置すると共に、前記電池蓋は、前記傾斜したカード装填部に対応して傾斜部が形成されていることを特徴とする。
【００１２】
本発明の第２の手段は、第１の手段の携帯情報機器において、前記第１のスペースを、前記収納凹部の少なくとも半分以上のスペースを占有させたことを特徴とする。
【００１３】
本発明の第３の手段は、第１または第２の手段の携帯情報機器において、前記メイン基板と前記サブ基板との間に介在するシールド板を有し、前記シールド板に前記サブ基板の傾斜方向に沿った傾斜面を形成し、前記傾斜面に前記サブ基板および前記カード装填部を搭載したことを特徴とする。
【００１４】
本発明の第４の手段は、第１〜第３のいずれか１つの手段の携帯情報機器において、前記電池蓋の前記傾斜部は、前記積層群の配置側から前記電池の配置側に向かって滑らかな曲線形状になっていることを特徴とする。
【発明の効果】
【００１５】
本発明の第１の手段によれば、メイン基板とサブ基板とを設けたことにより、基板面積の減少量を最小限に抑えつつ、メイン基板、サブ基板およびカード装填部からなる積層群の占有スペースを小さくできる。これにより、積層群を配置する第２のスペースを小さくして、電池を配置する第１のスペースを大きく確保できるようになり、その分、電池の大型化を図ることができる。
【００１６】
そして、カード装填部に装填したカード式記録媒体の装填方向後端を、収納凹部に装着した電池の側端に向かって近接配置させるようにして、サブ基板およびカード装填部をメイン基板に対して傾斜配置してある。これにより、前記積層群の厚みが、カード装填部の追加により全体的に増加した場合にも、カード装填部に装填したカード式記憶媒体が、装着状態にある電池の側端に阻止されて離脱されるのを防止できる。このことは、カード式記憶媒体をカード装填部に着脱するには電池を取り外した状態で行うことになり、カード式記憶媒体が破損されるのを防止できる。
【００１７】
また、電池蓋に、傾斜したカード装填部に対応して傾斜部を形成したことにより、電池蓋の外側面に段差部が形成されるのを避けることができる。これにより、機器筺体の外観性を向上して商品価値を高めることができる。
【００１８】
本発明の第２の手段によれば、第１の手段の効果に加えて、第１のスペースを、収納凹部の少なくとも半分以上のスペースを占有させたので、その第１のスペースに収納する電池の大型化を達成して電池容量の増大化を図ることができる。また、このように第１のスペースを収納凹部の少なくとも半分以上のスペースとした場合にも、積層群の占有スペー
スが小さくなっていることにより、積層群の第２のスペースへの配置を許容することができる。
【００１９】
本発明の第３の手段によれば、第１および第２の手段の効果に加えて、メイン基板とサブ基板との間に介在したシールド板に、サブ基板の傾斜方向に沿った傾斜面を形成し、この傾斜面にサブ基板およびカード装填部を搭載するようになっている。これにより、シールド板に傾斜面を形成するという簡単な構造によって、サブ基板およびカード装填部を容易に傾斜させることができる。
【００２０】
本発明の第４の手段によれば、第１〜第３の手段の効果に加えて、電池蓋の傾斜部は、積層群の配置側から電池の配置側に向かって滑らかな曲線形状になっている。これにより、機器筺体の外観性を更に向上でき、更には、携帯情報機器を手にした際の感触を良好にして、商品価値をより高めることができる。
【図面の簡単な説明】
【００２１】
【図１】図１は、本発明に係る携帯情報機器の第１の実施形態を示す表側斜視図である。
【図２】図２は、第１の実施形態の携帯情報機器の裏側斜視図である。
【図３】図３は、第１の実施形態の携帯情報機器のリヤケースを外して収納凹部の内部を露出させた状態の斜視図である。
【図４】図４は、第１の実施形態の携帯情報機器のリヤケースから電池蓋を外した状態を示す斜視図である。
【図５】図５は、図１中I−I線に沿った断面図である。
【図６】図６は、図５中II部の拡大断面図である。
【図７】図７は、本発明に至る過程を（ａ）〜（ｃ）に順を追って説明する概略断面図である。
【図８】図８は、メイン基板とサブ基板との接続状態の一例を示す図７（ｃ）中III−III線に沿った概略断面図である。
【図９】図９は、メイン基板とサブ基板との接続状態の他例を示す図８に対応した概略断面図である。
【図１０】図１０は、第１の実施形態の携帯情報機器のデザイン形状を示し、（ａ）は裏側斜視図、（ｂ）は側面図である。
【図１１】図１１は、本発明の傾斜構造が用いられない場合のデザイン形状を示し、（ａ）は裏側斜視図、（ｂ）は側面図である。
【発明を実施するための形態】
【００２２】
以下、本発明に係る携帯情報機器の好適な実施形態について、図面を参照しつつ詳細に説明する。
【００２３】
図１、図２に示すように、本実施形態の携帯情報機器１は、例えば、タブレット端末のように全体として矩形板状に形成されている。この携帯情報機器１は、表面にタッチパネル式の液晶ディスプレイ１１が設けられたフロントケース１２と、このフロントケース１２の裏側を閉止するリヤケース１３と、を備えて機器筺体１４が構成されている。尚、本実施形態では、図１、図２中左側を前方とし、図１、図２中右側を後方として説明するものとする。
【００２４】
図３に示すように、フロントケース１２の内側四隅には突起１２ａが設けられる一方、リヤケース１３にはその突起１２ａに対応する位置に図中現れない凹部が設けられている。そして、リヤケース１３をフロントケース１２に被した状態で、リヤケース１３の四隅をフロントケース１２に押し付けることにより、突起１２ａが凹部に圧入されてフロン
トケース１２とリヤケース１３とが結合されている。また、リヤケース１３の裏側（図２中上側）には電池蓋１６が着脱可能に係着されており、電池２の交換時には、図４に示すように、リヤケース１３から電池蓋１６を取り外すようになっている。
【００２５】
図３に示すように、フロントケース１２からリヤケース１３を取り外した内部には、電池２、メイン基板３、サブ基板３１およびカード装填部４などの各種部品が収納されている。カード装填部４には、カード式記憶媒体としてのＳＩＭカード５が着脱可能に装填される。このＳＩＭカードは、固有のＩＤ（Identification）番号や携帯電話番号などが記録されたＩＣ（Integrated Circuit）カードとして一般に知られる。また、メイン基板３およびサブ基板３１は、１つの基板を分割したもので、このように分割することにより基板面積の減少量を最小限に抑制できる。このとき、メイン基板３は、サブ基板３１よりも面積が大きくなっている。
【００２６】
フロントケース１２およびリヤケース１３は、それぞれの内側が凹設されており、フロントケース１２とリヤケース１３とを互いに装着（結合）した際に、それらの内方に収納凹部１５が形成されるようになっている。そして、図３、図５に示すように、収納凹部１５には、上述した電池２、メイン基板３、サブ基板３１およびカード装填部４などの各種部品が収納される。また、収納凹部１５は、図４に示すように、電池蓋１６で覆われるようになっている。
【００２７】
電池２は、収納凹部１５の後方側の第１のスペースＳ１に配置される。この場合、第１のスペースＳ１は、可能な限り広いスペースを占有して、この第１のスペースＳ１に配置される電池２の大型化が図られる。即ち、電池２は、上述したメイン基板３、サブ基板３１およびカード装填部４などの各種部品の収納スペース以外の部分を可能な限り占有して大型化を図ることが望ましい。
【００２８】
本実施形態では、第１のスペースＳ１は、収納凹部１５の少なくとも半分以上のスペースを占有しており、電池２の長さは収納凹部１５の前後方向長さの半分以上に設定される。この場合、電池２の横幅は収納凹部１５の横幅とほぼ等しく、かつ、厚さは収納凹部１５の内側高さとほぼ等しく形成されて、第１のスペースＳ１の横断面内にほぼ隙間無く収まるようになっている。
【００２９】
一方、メイン基板３およびサブ基板３１は互いに積層されるが、本実施形態では、サブ基板３１に更にカード装填部４を積層して、メイン基板３，サブ基板３１およびカード装填部４の順に積層して積層群６が構成されている。このとき、カード装填部は、サブ基板３１に実装されて一体化されている。そして、この積層群６が収納凹部１５の前方側の残りの第２のスペースＳ２に配置される。
【００３０】
このとき、積層群６は、第２のスペースＳ２内の最も電池２に寄った部分に配置される。また、積層群６は、メイン基板３をフロントケース１２側に位置させて、カード装填部４が電池蓋１６側に配置されるようになっている。
【００３１】
また、メイン基板３、サブ基板３１およびカード装填部４からなる積層群６は、図６に示すように、メイン基板３とサブ基板３１との間にシールド板７が介在されている。このシールド板７は、サブ基板３１のほぼ全体を覆う面積を有し、シールド板７の周縁部からメイン基板３側に折曲された周壁部７ａがメイン基板３に実装されるようになっている。
【００３２】
ここで、本実施形態では、カード装填部４に装填したＳＩＭカード５の装填方向後端５ａを、収納凹部１５に装着した電池２の側端２ａに向かって近接配置させるようにして、サブ基板３１およびカード装填部４をメイン基板３に対して傾斜配置させてある。
【００３３】
また、サブ基板３１およびカード装填部４を傾斜させるにあたって、本実施形態では、シールド板７にサブ基板３１の傾斜方向に沿った傾斜面７ｂを形成し、この傾斜面７ｂにサブ基板３１およびカード装填部４を搭載させてある。このとき、サブ基板３１およびカード装填部４の傾斜面７ｂへの搭載は、サブ基板３１が傾斜面７ｂに固定されればよく、例えば、両面テープによって簡単に接着する方法であってもよい。
【００３４】
このように、ＳＩＭカード５の装填方向後端５ａが電池２の側端２ａに向かって近接配置されることにより、収納凹部１５に電池２が装着された状態でＳＩＭカード５を取り外そうとしても、装填方向後端５ａが電池２の側端２ａに突き当たることになる。これにより、電池２の装着状態では、ＳＩＭカード５の離脱が阻止されることになる。つまり、このことは、電池２が装着された状態では、ＳＩＭカード５をカード装填部４に着脱、つまり、装填および取り外しができないようになっている。
【００３５】
また、本実施形態では、図６に示すように、電池蓋１６には、傾斜したカード装填部４に対応した傾斜部１６ａが形成されている。このとき、傾斜部１６ａは、傾斜したカード装填部４に沿ってほぼ平行になっている。
【００３６】
次に、上述したサブ基板３１およびカード装填部４を傾斜させるに至った過程を、図７（ａ）〜（ｃ）によって順を追って概略的に説明する。
【００３７】
即ち、積層群６は、メイン基板３、サブ基板３１およびカード装填部４を単に積層した場合は、（ａ）に示すように、全体の厚みが嵩張って、カード装填部４に装填したＳＩＭカード５の装填方向後端５ａが電池２の側端２ａから外れてしまう虞がある。このとき、機器筺体１４の電池蓋１６は、厚肉化した積層群６によって、その積層群６の収納部分と電池２の収納部分との間に段差部Ｄが形成されることになる。
【００３８】
これに対して、（ｂ）に示すように、サブ基板３１およびカード装填部４をメイン基板３に対して傾斜させた場合は、ＳＩＭカード５の装填方向後端５ａを電池２の側端２ａに対向させて、ＳＩＭカード５の離脱を阻止することができる。しかし、このように、サブ基板３１およびカード装填部４を傾斜させたとしても、この段階では依然として段差部Ｄが残ってしまう。
【００３９】
そこで、（ｃ）に示すように、（ｂ）と同様にサブ基板３１およびカード装填部４を傾斜させた状態で、電池蓋１６に、傾斜したカード装填部４に対応した傾斜部１６ａを設ける。これにより、電池蓋１６は、図中斜線部分Ｈが無くなることにより段差部Ｄを取り除くことができる。従って、この（ｃ）が本発明に対応した図となる。
【００４０】
ところで、メイン基板３およびサブ基板３１は相互に積層されるが、これらメイン基板３とサブ基板３１とは、図８に示すように、ＦＰＣコネクタ８を介して接続させることができる。また、これ以外にも、図９に示すように、メイン基板３およびサブ基板３１の対向面にそれぞれ設けたコネクタ８１、８２どうしを接続させてもよい。
【００４１】
また、本実施形態では、段差部Ｄを無くした場合に、図２〜図６に示すように、電池蓋１６の傾斜部１６ａは、積層群６の配置側から電池２の配置側に向かって滑らかな曲線形状とされている。これにより、図１０に示すように、電池蓋１６は全体的に滑らかな表面となる。尚、参考例として、図１１には、電池蓋１６に段差部Ｄが形成されている場合を示す。
【００４２】
従って、本実施形態の携帯情報機器１では、電池２を交換する際には、図４に示すよう
に、リヤケース１３から電池蓋１６を取り外すことにより電池２が露出し、この状態で電池２の交換が可能となる。
【００４３】
また、ＳＩＭカード５を交換する際には、収納凹部１５から電池２を一旦取り外して、ＳＩＭカード５の離脱方向に広いスペースを設けてから交換を行うことになる。
【００４４】
そして、電池２を交換した後、また、ＳＩＭカード５の交換が完了して電池２を再装着した後は、リヤケース１３に電池蓋１６を装着して収納凹部１５を閉止しておく。
【００４５】
以上説明したように、本実施形態の携帯情報機器１によれば、基板を分割してメイン基板３とサブ基板３１としたことにより、収納凹部１５の一方側を、電池２を配置する第１のスペースＳ１とし、残りの他方側をメイン基板３、サブ基板３１およびカード装填部４の積層群６を配置する第２のスペースＳ２として確保できる。また、メイン基板３とサブ基板３１とに分割したことにより、基板面積の減少量を最小限に抑えつつ、積層群６の占有スペースを小さくできる。
【００４６】
従って、第１のスペースＳ１を、収納凹部１５の少なくとも半分以上のスペースを占有させることが可能となり、その第１のスペースＳ１に収納する電池２の大型化を達成して電池容量の増大化を図ることができる。
【００４７】
また、サブ基板３１およびカード装填部３１をメイン基板３に対して傾斜配置させて、カード装填部４に装填したＳＩＭカード５の装填方向後端５ａを、収納凹部１５に装着した電池２の側端２ａに向かって近接配置させてある。これにより、カード装填部４に装填したＳＩＭカード５を取り外す際に、電池２が装着されている場合は、ＳＩＭカード５の装填方向後端５ａが電池２の側端２ａに阻止されて離脱するのを防止できる。このことは、ＳＩＭカード５をカード装填部４に装填する際にも、電池２を取り外した状態で行うことになり、ＳＩＭカード５の破損を防止することができる。従って、このように、サブ基板３１およびカード装填部３１を傾斜させるという構造は、積層群６の厚みが全体的に増加した場合に特に有効となる。
【００４８】
更に、電池蓋１６に、傾斜したカード装填部４に対応して傾斜部１６ａが形成されているので、電池蓋１６の外側面に段差部Ｄが形成されるのを避けることができる。これにより、機器筺体１４の外観性を向上して商品価値を高めることができる。
【００４９】
また、本実施形態によれば、メイン基板３とサブ基板３１との間にシールド板７を介在してあり、このシールド板７にサブ基板３１の傾斜方向に沿った傾斜面７ｂを形成し、この傾斜面７ｂにサブ基板３１およびカード装填部４を搭載してある。これにより、シールド板７に傾斜面７ｂを形成するという簡単な構造によって、サブ基板３１およびカード装填部４を容易に傾斜させることができる。
【００５０】
更に、本実施形態によれば、電池蓋１６の傾斜部１６ａは、積層群６の配置側から電池２の配置側に向かって滑らかな曲線形状になっている。これにより、機器筺体１４の外観性を更に向上でき、更には、携帯情報機器１を手にした際の感触を良好にして、商品価値をより高めることができる。
【００５１】
以上、本発明の好ましい実施形態について詳述したが、本実施形態に限ることなく本発明の要旨を逸脱しない範囲で各種変更が可能である。
【００５２】
例えば、携帯情報機器は、タブレット形に限ることなく、その他のモバイル形の情報端末、例えば、折り畳み式の携帯電話や電子手帳などにあっても本発明を適用することがで
きる。
【００５３】
また、カード装填部４に装填されるカード式記憶媒体としては、ＳＩＭカード５に限ることなく、例えば、ＳＤカードやマイクロＳＤカードなどのカードタイプとなったメモリカードであってもよい。
【符号の説明】
【００５４】
１  携帯情報機器
１２  フロントケース
１３  リヤケース
１５  収納凹部
１６  電池蓋
１６ａ  傾斜部
２  電池
２ａ  電池の側端
３  メイン基板
３１  サブ基板
４  カード装填部
５  ＳＩＭカード（カード式記憶媒体）
５ａ  装填方向後端
６  積層群
７  シールド板
７ｂ  傾斜面
Ｓ１  第１のスペース
Ｓ２  第２のスペース
【図１】
2014041484.tif 000003
【図２】
2014041484.tif 000004
【図３】
2014041484.tif 000005
【図４】
2014041484.tif 000006
【図５】
2014041484.tif 000007
【図６】
2014041484.tif 000008
【図７】
2014041484.tif 000009
【図８】
2014041484.tif 000010
【図９】
2014041484.tif 000011
【図１０】
2014041484.tif 000012
【図１１】
2014041484.tif 000013